(57)【要約】【課題】パーソナルコンピュータにかかる負荷が増大するのを抑制することが可能な情報表示システムを提供する。【解決手段】この情報表示システム１００は、ユーザにより操作情報が入力されるマウス３と、マウス３が接続され、マウス３を介して入力された操作情報を送信するためのＵＳＢ送受信部１ｇを含むＰＣ１と、ＰＣ１により送信された操作情報を受信するためのＵＳＢ送受信部５ｄと、マウス３の操作情報に基づいてＴＶカーソル８ｃの表示処理を行うことが可能な制御部５ａとを含むＴＶ５と、映像の表示が可能であるとともに、マウス３の操作情報に基づいて、制御部５ａによりＴＶカーソル８ｃをＴＶ映像に合成する表示処理が行われたＴＶ映像を表示可能な表示部５ｋとを備え、ＰＣ１およびＴＶ５において、それぞれ、ＰＣ１からＴＶ５への操作情報の送信を行うか否かを設定可能に構成されている。【選択図】図１
2010283642.tif 000002
【特許請求の範囲】
【請求項１】
ユーザにより操作情報が入力される入力装置と、
前記入力装置が接続され、前記入力装置を介して入力された操作情報を送信するための送信部を含むパーソナルコンピュータと、
前記パーソナルコンピュータにより送信された前記操作情報を受信するための受信部と、前記入力装置の操作情報に基づいてカーソルの表示処理を行うことが可能な制御部とを含む受信装置と、
前記受信装置側に設けられ、映像の表示が可能であるとともに、前記入力装置の操作情報に基づいて、前記受信装置の制御部によりカーソルを映像に合成する前記表示処理が行われた映像を表示可能な表示部とを備え、
前記パーソナルコンピュータおよび前記受信装置の少なくともいずれか一方において、前記パーソナルコンピュータから前記受信装置への前記操作情報の送信を行うか否かを設定可能に構成されている、情報表示システム。
【請求項２】
前記入力装置は、ポインティングデバイスを含み、
前記操作情報は、前記ポインティングデバイスの位置に関する情報を含み、
前記受信装置の制御部は、前記ポインティングデバイスの位置に関する情報に基づいて、前記カーソルを映像に合成するように構成されている、請求項１に記載の情報表示システム。
【請求項３】
前記パーソナルコンピュータにおける画面解像度と前記受信装置における画面解像度とが異なる場合に、前記カーソルが映像に合成されることが可能なように、前記ポインティングデバイスの位置に関する情報を変換するための変換部をさらに備える、請求項２に記載の情報表示システム。
【請求項４】
前記受信装置は、前記パーソナルコンピュータに前記入力装置を介して入力された前記操作情報を送信させるためのプログラムが格納された第１記憶部と、前記プログラムを前記パーソナルコンピュータに送信するプログラム送信部とをさらに含み、
前記パーソナルコンピュータは、前記プログラムを前記受信装置から受信するプログラム受信部と、受信した前記プログラムを格納する第２記憶部とをさらに含み、
前記受信装置と前記パーソナルコンピュータとが接続された際に、前記受信装置が前記プログラムを前記パーソナルコンピュータに送信することによって、前記パーソナルコンピュータの第２記憶部に前記プログラムが格納されるとともに、
前記パーソナルコンピュータは、前記第２記憶部に格納された前記プログラムに基づいて、前記入力装置を介して入力された前記操作情報を送信するように構成されている、請求項１〜３のいずれか１項に記載の情報表示システム。
【請求項５】
前記パーソナルコンピュータは、さらに、前記プログラムに基づいて、前記パーソナルコンピュータから前記受信装置への前記操作情報の送信を行うか否かが設定されるとともに、前記操作情報の送信を行うと設定された際には、前記受信装置へ前記操作情報を送信するように構成されている、請求項４に記載の情報表示システム。
【請求項６】
前記パーソナルコンピュータから前記受信装置への前記操作情報の送信を行うか否かについて、ユーザに視覚的に通知するための表示手段をさらに備える、請求項１〜５のいずれか１項に記載の情報表示システム。
【請求項７】
ユーザが前記受信装置を操作するためのリモートコントローラをさらに備え、
前記受信装置の制御部は、前記入力装置の操作情報に基づく処理よりも前記リモートコントローラへのユーザの操作に基づく処理を優先させることが可能なように構成されている、請求項１〜６のいずれか１項に記載の情報表示システム。
【請求項８】
ユーザにより操作情報が入力される入力装置が接続されたパーソナルコンピュータによって送信された前記入力装置の操作情報を受信する受信部と、前記入力装置の操作情報に基づいてカーソルの表示処理を行うことが可能な制御部とを含む受信装置と、
映像の表示が可能であるとともに、前記入力装置の操作情報に基づいて、前記受信装置の制御部によりカーソルを映像に合成する前記表示処理が行われた映像を表示可能な表示部とを備え、
前記パーソナルコンピュータから前記受信装置への前記操作情報の送信を行うか否かを設定可能なように構成されている、情報表示装置。
【請求項９】
前記受信装置は、テレビジョン装置またはセットトップボックスを含む、請求項８に記載の情報表示装置。
【発明の詳細な説明】
【技術分野】
【０００１】
この発明は、情報表示システムおよび情報表示装置に関し、特に、ユーザにより操作情報が入力される入力装置を備える情報表示システムおよび情報表示装置に関する。
【背景技術】
【０００２】
従来、ユーザにより操作情報が入力される入力装置を備える情報表示システムおよび情報表示装置が知られている（たとえば、特許文献１または２参照）。
【０００３】
上記特許文献１には、ユーザからの操作が入力されるマウス（入力装置）と、パーソナルコンピュータと、マウスおよびパーソナルコンピュータがそれぞれ接続されているとともに、ＴＶチューナを備えたディスプレイ（受信装置）とからなるシステムが開示されている。上記特許文献１に記載のディスプレイは、パーソナルコンピュータとＵＳＢ（Ｕｎｉｖｅｒｓａｌ  Ｓｅｒｉａｌ  Ｂｕｓ）回線を介して接続されている。また、パーソナルコンピュータの電源がオン状態である場合には、ディスプレイは、ＴＶチューナから受信したＴＶ放送に関するビデオ信号を、ＵＳＢ回線を介して、ディスプレイからパーソナルコンピュータに送信するように構成されている。さらに、ディスプレイは、マウスの操作対象をパーソナルコンピュータとして、マウスから入力された操作信号を、ＵＳＢ回線を介して、ディスプレイからパーソナルコンピュータに送信するように構成されている。そして、パーソナルコンピュータは、マウスの操作信号がディスプレイへの操作に関する信号である場合、マウスの操作信号に基づく指令を、ＵＳＢ回線を介して、パーソナルコンピュータからディスプレイに送信するように構成されている。一方、パーソナルコンピュータの電源がオン状態ではなくオフ状態である場合には、ディスプレイは、マウスの操作対象をディスプレイ自身であるとして、マウスから入力された操作信号に基づいてディスプレイ内を制御するように構成されている。
【０００４】
また、上記特許文献２には、移動データを送信するマウス（入力装置）と、テレビ受像機本体（受信装置）と、マウスおよびテレビ受像機本体がそれぞれ接続されたパソコン（パーソナルコンピュータ）とを備える録画予約装置が開示されている。上記特許文献２に記載の録画予約装置のパソコンは、取得した番組表にカーソルを重畳表示させるように構成された画面に関する情報を作成するとともに、マウスから送信された移動データに基づいてカーソルの表示位置を移動させるように構成された情報を作成して、それぞれの情報をテレビ受像機本体に送信する。これにより、表示位置を移動させたカーソルを番組表上に重畳表示した画面をテレビ受像機本体に表示させるように構成されている。
【先行技術文献】
【特許文献】
【０００５】
【特許文献１】特開２００２−３４４８３５号公報
【特許文献２】特開平８−８７７８４号公報
【発明の概要】
【発明が解決しようとする課題】
【０００６】
しかしながら、上記特許文献１に記載のシステムでは、パーソナルコンピュータの電源がオン状態である場合で、かつ、マウスから入力された操作信号がディスプレイへの操作に関する信号である場合には、マウスの操作信号はマウスが接続されたディスプレイからパーソナルコンピュータに一旦送信された後、パーソナルコンピュータからディスプレイにマウスの操作信号に基づく指令が送信されるように構成されている。このため、上記特許文献１に記載のシステムでは、マウスの操作信号に基づいてディスプレイ内をディスプレイにより制御可能であるにもかかわらず、ディスプレイは、マウスの操作信号を一旦パーソナルコンピュータに送信するとともに、パーソナルコンピュータは、受信したマウスの操作信号に基づく指令を再度ＵＳＢ回線を介して送信する必要があるという不都合がある。このため、パーソナルコンピュータにおける不要な処理が増大することにより、パーソナルコンピュータにかかる負荷が増大するという問題点があると考えられる。
【０００７】
また、上記特許文献２に記載の録画予約装置では、パソコン（パーソナルコンピュータ）において、マウスから送信された移動データに基づいてカーソルの表示位置を移動させるように構成されているため、テレビ受像機本体においてマウスの移動データが処理されていないという不都合がある。このため、テレビ受像機本体における操作をマウスを用いて行う場合には、パソコンにテレビ受像機本体における操作に関する制御動作のプログラムを記憶させる必要がある。さらに、パソコンは、テレビ受像機本体における操作に関する制御動作のプログラムに基づいて、マウスの移動データなどに基づく処理を行う必要がある。したがって、パソコンにおける処理が増大することにより、パソコンにかかる負荷が増大するという問題点があると考えられる。
【０００８】
この発明は、上記のような課題を解決するためになされたものであり、この発明の１つの目的は、パーソナルコンピュータにかかる負荷が増大するのを抑制することが可能な情報表示システムおよび情報表示装置を提供することである。
【課題を解決するための手段および発明の効果】
【０００９】
この発明の第１の局面による情報表示システムは、ユーザにより操作情報が入力される入力装置と、入力装置が接続され、入力装置を介して入力された操作情報を送信するための送信部を含むパーソナルコンピュータと、パーソナルコンピュータにより送信された操作情報を受信するための受信部と、入力装置の操作情報に基づいてカーソルの表示処理を行うことが可能な制御部とを含む受信装置と、受信装置側に設けられ、映像の表示が可能であるとともに、入力装置の操作情報に基づいて、受信装置の制御部によりカーソルを映像に合成する表示処理が行われた映像を表示可能な表示部とを備え、パーソナルコンピュータおよび受信装置の少なくともいずれか一方において、パーソナルコンピュータから受信装置への操作情報の送信を行うか否かを設定可能に構成されている。
【００１０】
この発明の第１の局面による情報表示システムでは、上記のように、受信装置を、入力装置の操作情報に基づいてカーソルの表示処理を行うことが可能な制御部を含むように構成する。これにより、入力装置の操作情報に基づく操作に関する受信装置への処理を受信装置の制御部において行うことができるので、入力装置の操作情報に基づく操作に関する受信装置への処理をパーソナルコンピュータにおいて行う必要がない。この結果、パーソナルコンピュータにおける処理が増大するのを抑制することができるので、パーソナルコンピュータにかかる負荷が増大するのを抑制することができる。
【００１１】
また、上記のように、パーソナルコンピュータおよび受信装置の少なくともいずれか一方において、パーソナルコンピュータから受信装置への操作情報の送信を行うか否かを設定可能に構成することによって、パーソナルコンピュータから受信装置への操作情報が不要な際には、ユーザはパーソナルコンピュータから受信装置への操作情報の送信を行わないように設定することができる。これにより、受信装置に不要な操作情報が送信されるのを抑制することができるので、受信装置にかかる負荷が増大するのを抑制することができる。
【００１２】
上記第１の局面による情報表示システムにおいて、好ましくは、入力装置は、ポインティングデバイスを含み、操作情報は、ポインティングデバイスの位置に関する情報を含み、受信装置の制御部は、ポインティングデバイスの位置に関する情報に基づいて、カーソルを映像に合成するように構成されている。このように構成すれば、キーボードやリモートコントローラなどの入力装置に比べて、ユーザが直感的に操作することが可能なポインティングデバイスの位置に関する情報に基づいて、受信装置の制御部は、カーソルを映像に合成することができる。これにより、受信装置を操作する際のユーザの操作性を向上させることができる。
【００１３】
この場合、好ましくは、パーソナルコンピュータにおける画面解像度と受信装置における画面解像度とが異なる場合に、カーソルが映像に合成されることが可能なように、ポインティングデバイスの位置に関する情報を変換するための変換部をさらに備える。このように構成すれば、パーソナルコンピュータにおける画面解像度と受信装置における画面解像度とが異なる場合においても、変換されたポインティングデバイスの位置に関する情報に基づいて、受信装置の制御部は、カーソルを映像に合成する表示処理を行うとともに、表示処理が行われた映像を表示させることができる。
【００１４】
上記第１の局面による情報表示システムにおいて、好ましくは、受信装置は、パーソナルコンピュータに入力装置を介して入力された操作情報を送信させるためのプログラムが格納された第１記憶部と、プログラムをパーソナルコンピュータに送信するプログラム送信部とをさらに含み、パーソナルコンピュータは、プログラムを受信装置から受信するプログラム受信部と、受信したプログラムを格納する第２記憶部とをさらに含み、受信装置とパーソナルコンピュータとが接続された際に、受信装置がプログラムをパーソナルコンピュータに送信することによって、パーソナルコンピュータの第２記憶部にプログラムが格納されるとともに、パーソナルコンピュータは、第２記憶部に格納されたプログラムに基づいて、入力装置を介して入力された操作情報を送信するように構成されている。このように構成すれば、受信装置とパーソナルコンピュータとを接続するだけによって、パーソナルコンピュータは、入力装置を介して入力された操作情報を送信するためのプログラムを得ることができる。これにより、入力装置を介して入力された操作情報を送信するためのプログラムを取得するための操作をユーザに別途行わせる必要がないので、ユーザの利便性を向上させることができる。
【００１５】
この場合、好ましくは、パーソナルコンピュータは、さらに、プログラムに基づいて、パーソナルコンピュータから受信装置への操作情報の送信を行うか否かが設定されるとともに、操作情報の送信を行うと設定された際には、受信装置へ操作情報を送信するように構成されている。このように構成すれば、パーソナルコンピュータは、取得したプログラムに基づいて、容易に、操作情報の送信を行うか否かの設定および受信装置への操作情報の送信を行うことができる。これにより、ユーザの利便性をより向上させることができる。
【００１６】
上記第１の局面による情報表示システムにおいて、好ましくは、パーソナルコンピュータから受信装置への操作情報の送信を行うか否かについて、ユーザに視覚的に通知するための表示手段をさらに備える。このように構成すれば、パーソナルコンピュータから受信装置への操作情報の送信を行うか否かの設定状態をユーザに視覚的に認識させることができる。これにより、ユーザはパーソナルコンピュータと受信装置とのいずれを操作しているかを視覚的に確認することができるので、ユーザが意図する操作と異なる操作が情報表示システムにおいて行われるのを抑制することができる。
【００１７】
上記第１の局面による情報表示システムにおいて、好ましくは、ユーザが受信装置を操作するためのリモートコントローラをさらに備え、受信装置の制御部は、入力装置の操作情報に基づく処理よりもリモートコントローラへのユーザの操作に基づく処理を優先させることが可能なように構成されている。このように構成すれば、ユーザによってリモートコントローラと入力装置との両方において受信装置が操作されるように構成されている場合に、リモートコントローラへのユーザの操作に基づく処理を優先させるように構成することによって、ユーザが意図せずに入力装置を操作することに起因して、ユーザが意図する操作と異なる操作が情報表示システムにおいて行われるのを抑制することができる。
【００１８】
この発明の第２の局面による情報表示装置は、ユーザにより操作情報が入力される入力装置が接続されたパーソナルコンピュータによって送信された入力装置の操作情報を受信する受信部と、入力装置の操作情報に基づいてカーソルの表示処理を行うことが可能な制御部とを含む受信装置と、映像の表示が可能であるとともに、入力装置の操作情報に基づいて、受信装置の制御部によりカーソルを映像に合成する表示処理が行われた映像を表示可能な表示部とを備え、パーソナルコンピュータから受信装置への操作情報の送信を行うか否かを設定可能なように構成されている。
【００１９】
この発明の第２の局面による情報表示装置では、上記のように、受信装置を、入力装置の操作情報に基づいてカーソルの表示処理を行うことが可能な制御部を含むように構成する。これにより、入力装置の操作情報に基づく操作に関する受信装置への処理を受信装置の制御部において行うことができるので、入力装置の操作情報に基づく操作に関する受信装置への処理をパーソナルコンピュータにおいて行う必要がない。この結果、パーソナルコンピュータにおける処理が増大するのを抑制することができるので、パーソナルコンピュータにかかる負荷が増大するのを抑制することができる。
【００２０】
また、上記のように、パーソナルコンピュータから受信装置への操作情報の送信を行うか否かを設定可能に構成することによって、パーソナルコンピュータから受信装置への操作情報が不要な際には、ユーザはパーソナルコンピュータから受信装置への操作情報の送信を行わないように設定することができる。これにより、受信装置に不要な操作情報が送信されるのを抑制することができるので、受信装置にかかる負荷が増大するのを抑制することができる。
【００２１】
上記第２の局面による情報表示装置において、好ましくは、受信装置は、テレビジョン装置またはセットトップボックスを含む。このように構成すれば、テレビジョン装置またはセットトップボックスを含む受信装置を用いて、情報表示装置をパーソナルコンピュータから受信装置への操作情報の送信を行うか否かを設定可能に構成することができる。
【図面の簡単な説明】
【００２２】
【図１】本発明の一実施形態による情報表示システムの全体構成を示した図である。
【図２】図１に示した情報表示システムの全体構成を示すブロック図である。
【図３】図１に示した情報表示システムのＴＶの表示部にＰＣ映像のマウス操作選択画面とＰＣカーソルとが表示されている状態の図である。
【図４】図１に示した情報表示システムのＴＶの表示部にアイコンとＴＶカーソルとが表示されている状態の図である。
【図５】図１に示した情報表示システムのＴＶの表示部にＥＰＧが表示されている状態の図である。
【図６】図５に示したＥＰＧが下方向にスクロールされた状態を示した図である。
【図７】図１に示した情報表示システムのＴＶの表示部にマウスからの信号が入力されない旨のメッセージが表示されている状態の図である。
【図８】図１に示した情報表示システムのＴＶの表示部にマウスからの操作を受け付けないモードである旨のメッセージが表示されている状態の図である。
【図９】図１に示した情報表示システムのＰＣの制御フローを示した図である。
【図１０】図１に示した情報表示システムのＴＶの制御フローを示した図である。
【図１１】本発明の一実施形態の第１変形例による情報表示システムの全体構成を示した図である。
【図１２】図１１に示した情報表示システムの全体構成を示すブロック図である。
【図１３】図１１に示した情報表示システムのＰＣの制御フローを示した図である。
【図１４】図１１に示した情報表示システムのＳＴＢの制御フローを示した図である。
【図１５】本発明の一実施形態の第２変形例による情報表示システムの表示部にアイコンとセレクトカーソルとが表示されている状態の図である。
【図１６】図１５に示した表示部のセレクトカーソルがアイコンの選択肢１つ分上に動いた状態を示した図である。
【発明を実施するための形態】
【００２３】
以下、本発明を具体化した実施形態を図面に基づいて説明する。
【００２４】
まず、図１〜図８を参照して、本発明の一実施形態による情報表示システム１００の構成について説明する。
【００２５】
本発明の一実施形態による情報表示システム１００では、図１に示すように、パーソナルコンピュータ（ＰＣ）１に、ＵＳＢケーブル２ａを介して、マウス３が接続されている。また、ＰＣ１に、ＵＳＢケーブル２ｂを介して、キーボード４が接続されている。また、ＰＣ１に、ＵＳＢケーブル２ｃを介して、テレビジョン装置（ＴＶ）５が接続されている。さらに、ＰＣ１とＴＶ５とは、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブル６によっても接続されている。また、ＨＤＭＩケーブル６を介して、ＰＣ１において作成されたＰＣ映像がＰＣ１からＴＶ５に送信されるように構成されている。また、情報表示システム１００は、ＴＶ５を操作するためのリモートコントローラ７を備えている。このリモートコントローラ７は、ＴＶ５の操作に関する信号を赤外線として外部に出力可能なように構成されている。なお、テレビジョン装置（ＴＶ）５は、本発明の「受信装置」および「情報表示装置」の一例である。
【００２６】
また、マウス３には、図２に示すように、ユーザにより移動されることによって生じるマウス３の相対的な位置の変化をマウス３の位置に関する情報として検出するセンサ部３ａと、ユーザによる押下をいわゆる「左クリック」として検知する左ボタン３ｂと、ユーザによる押下をいわゆる「右クリック」として検知する右ボタン３ｃと、ユーザにより回転されるように構成されており、ユーザによる回転動作を検出するホイール３ｄとが設けられている。また、マウス３には、検出されたマウスの相対的な位置の変化、左クリック、右クリックおよびホイール３ｄの回転動作を、それぞれ、位置情報、左クリック情報、右クリック情報およびスクロール情報（操作情報）としてＰＣ１に出力するための出力部３ｅがさらに設けられている。ここで、左クリック情報、右クリック情報およびスクロール情報を動作制御情報とする。また、キーボード４は、キーが押下された際に、それぞれのキー（図示せず）に割り当てられた情報をＰＣ１にＵＳＢケーブル２ｂを介して信号として出力するように構成されている。なお、マウス３は、本発明の「入力装置」および「ポインティングデバイス」の一例である。また、位置情報、左クリック情報、右クリック情報およびスクロール情報は、それぞれ、本発明の「操作情報」の一例である。
【００２７】
また、ＰＣ１には、図２に示すように、制御部１ａと、ハードディスクやフラッシュメモリなどの不揮発性メモリからなる記憶部１ｂとが設けられている。また、ＰＣ１には、ＵＳＢ端子１ｃ〜１ｅと、ＨＤＭＩ端子１ｆとが設けられている。このＵＳＢ端子１ｃは、ＵＳＢケーブル２ａを介してマウス３の出力部３ｅと接続されている。また、ＵＳＢ端子１ｄは、ＵＳＢケーブル２ｂを介してキーボード４と接続されている。また、ＵＳＢ端子１ｅは、ＵＳＢケーブル２ｃを介してＴＶ５の後述するＵＳＢ端子５ｃと接続されている。また、ＨＤＭＩ端子１ｆは、ＨＤＭＩケーブル６を介してＴＶ５の後述するＨＤＭＩ端子５ｇと接続されている。また、ＵＳＢ端子１ｃ、１ｄおよび１ｅは、それぞれ、ＵＳＢ送受信部１ｇに接続されており、ＨＤＭＩ端子１ｆは、ＨＤＭＩ送受信部１ｈに接続されている。また、制御部１ａによって、ＵＳＢ送受信部１ｇから、ＵＳＢ端子１ｃ、１ｄおよび１ｅを介して、ＵＳＢケーブル２ａ、２ｂおよび２ｃにそれぞれ信号が送信されるように構成されている。また、制御部１ａによって、ＨＤＭＩ送受信部１ｈから、ＨＤＭＩ端子１ｆを介して、ＨＤＭＩケーブル６に信号が送信されるように構成されている。また、ＰＣ１では、ＵＳＢケーブル２ａ、２ｂ、２ｃおよびＨＤＭＩケーブル６からＵＳＢ送受信部１ｇおよびＨＤＭＩ送受信部１ｈに信号がそれぞれ受信されるように構成されている。
【００２８】
ここで、本実施形態では、記憶部１ｂには、制御部１ａによって、マウス３の位置情報、左クリック情報、右クリック情報およびスクロール情報（操作情報）がＵＳＢ端子１ｃを介してＵＳＢ送受信部１ｇに受信されることを可能にするドライバおよびアプリケーションが、プログラムとして記憶されている。このドライバおよびアプリケーションは、ＰＣ１とＴＶ５とがＵＳＢケーブル２ｃを介して接続された際に、ＴＶ５から自動的に送信されることによって、ＵＳＢ送受信部１ｇに受信されるように構成されている。なお、記憶部１ｂは、本発明の「第２記憶部」の一例であり、ＵＳＢ送受信部１ｇは、本発明の「送信部」および「プログラム受信部」の一例である。
【００２９】
また、記憶部１ｂに記憶されたドライバおよびアプリケーションに基づいて、ＰＣ１において、マウス３の操作情報をＵＳＢ送受信部１ｇからＵＳＢ端子１ｅを介して送信するか否かがユーザによって設定可能なように構成されている。また、操作情報をＵＳＢ送受信部１ｇから送信するとユーザによって設定された際には、ＰＣ１の制御部１ａによって、記憶部１ｂに記憶されたドライバおよびアプリケーションに基づいて、操作情報がＵＳＢ送受信部１ｇからＵＳＢ端子１ｅを介して送信されるように構成されている。この際、操作情報は、制御部１ａにおいて解析されずに、そのまま、ＵＳＢ送受信部１ｇからＵＳＢ端子１ｅを介して送信される（パススルー）ように構成されている。また、位置情報は、ＰＣ１で設定されている画面解像度である８００×６００に対応するように設定されているとともに、位置情報の画面解像度（８００×６００）に関するデータを含む信号は、ＵＳＢケーブル２ｃを介して送信されるように構成されている。
【００３０】
具体的な設定の手順としては、ＰＣ１において、マウス３の操作情報をＵＳＢ送受信部１ｇからＵＳＢ端子１ｅを介して送信しない状態において、図３に示すように、記憶部１ｂ（図２参照）のドライバおよびアプリケーションに基づいて、マウス操作選択画面と白抜きされた矢印状のＰＣカーソル８ａとが表示されるようにＰＣ１（図２参照）内でＰＣ映像が作成される。そして、ＰＣ映像が、ＨＤＭＩ送受信部１ｈ（図２参照）からＨＤＭＩ端子１ｆ（図２参照）を介してＴＶ５に送信されることによって、ＴＶ５の後述する表示部５ｋに表示されるように構成されている。また、マウス操作選択画面のＴＶ５の操作に切り替えるという処理が割り当てられているアイコン８ｂ上にＰＣカーソル８ａが位置する状態で、ユーザによって左クリック情報が入力されると、アイコン８ｂが選択されて、ＴＶ５の操作に切り替える処理がＰＣ１の制御部１ａ（図２参照）によって行われるように構成されている。つまり、ＰＣ１の制御部１ａによって、記憶部１ｂに記憶されているドライバおよびアプリケーションに基づいて、操作情報がＵＳＢ送受信部１ｇ（図２参照）からＵＳＢ端子１ｅ（図２参照）を介してそのまま送信される（パススルー）ように切り替えられるように構成されている。
【００３１】
また、図２に示すように、マウス３の操作情報をＵＳＢ送受信部１ｇを介してＵＳＢ端子１ｅから送信しないとユーザによって設定された際には、制御部１ａによって、操作情報が解析されて、ＰＣ１内での処理が行われるように構成されている。また、ＰＣ１内での処理によって作成されたＰＣ映像は、ＨＤＭＩ送受信部１ｈからＨＤＭＩ端子１ｆを介して、ＴＶ５に送信されるように構成されている。また、ＰＣ１における画面解像度（８００×６００）の情報を有する信号がＨＤＭＩ送受信部１ｈからＨＤＭＩ端子１ｆを介して、ＴＶ５に送信可能なように構成されている。
【００３２】
また、ＴＶ５には、図２に示すように、制御部５ａと、フラッシュメモリなどの不揮発性メモリからなり、制御部５ａにおいて用いられるプログラムなどが格納された記憶部５ｂと、ＵＳＢ端子５ｃと、ＵＳＢ端子５ｃと接続されたＵＳＢ送受信部５ｄとが設けられている。また、制御部５ａによって、ＵＳＢ送受信部５ｄからＵＳＢ端子５ｃを介して、ＵＳＢケーブル２ｃに信号が送信されるように構成されている。また、ＴＶ５では、ＵＳＢケーブル２ｃからＵＳＢ送受信部５ｄに信号が受信されるように構成されている。また、記憶部５ｂには、制御部５ａによってＵＳＢ送受信部５ｄからＵＳＢケーブル２ｃを介してＰＣ１の記憶部１ｂに送信されるドライバおよびアプリケーションが、プログラムとして記憶されている。なお、記憶部５ｂは、本発明の「第１記憶部」の一例であり、ＵＳＢ送受信部５ｄは、本発明の「受信部」および「プログラム送信部」の一例である。
【００３３】
また、本実施形態では、ＴＶ５において、マウス３の位置情報、左クリック情報、右クリック情報およびスクロール情報（操作情報）をＵＳＢ端子５ｃを介してＵＳＢ送受信部５ｄに受信するか否かをユーザによって設定可能なように構成されている。具体的な設定としては、ユーザによってリモートコントローラ７において所定の操作が行われることにより、操作情報がＵＳＢ端子５ｃを介してＵＳＢ送受信部５ｄに受信されるか否かが設定されるように構成されている。
【００３４】
また、制御部５ａによって、操作情報がＵＳＢ端子５ｃを介してＵＳＢ送受信部５ｄに受信されると設定された際には、制御部５ａによって、操作情報がＵＳＢ端子５ｃを介してＵＳＢ送受信部５ｄに受信されるように構成されている。一方、制御部５ａによって、操作情報がＵＳＢ端子５ｃを介してＵＳＢ送受信部５ｄに受信されないと設定された際には、制御部５ａによって、操作情報がＵＳＢ端子５ｃを介してＵＳＢ送受信部５ｄに受信されないように構成されている。
【００３５】
また、図２に示すように、ＴＶ５には、選局部５ｅと、ハードディスクドライバ（ＨＤＤ）５ｆと、ＨＤＭＩ端子５ｇと、ＨＤＭＩ端子５ｇと接続されたＨＤＭＩ送受信部５ｈとが設けられている。この選局部５ｅは、テレビジョン放送およびテレビジョン放送に関する電子番組表（ＥＰＧ）を図示しないアンテナからそれぞれ受信可能なように構成されている。また、ＨＤＤ５ｆは、ＥＰＧを参照して、受信したテレビジョン放送を記録可能なように構成されている。
【００３６】
また、制御部５ａによって、ＨＤＭＩ送受信部５ｈからＨＤＭＩ端子５ｇを介してＨＤＭＩケーブル６に信号が送信されるように構成されている。これにより、制御部５ａによって、ＰＣ１のオン状態であるか否かを確認する信号がＨＤＭＩ送受信部５ｈから送信され、ＰＣ１からＨＤＭＩ送受信部５ｈに返信があるか否かを判断することによって、ＰＣ１の電源がオン状態であるか否かを確認可能なように構成されている。また、ＰＣ１の電源がオン状態でない（オフ状態である）場合には、制御部５ａによって、ＨＤＭＩ送受信部５ｈからＨＤＭＩ端子５ｇを介して、ＰＣ１の電源を投入するための信号が送信されることによって、ユーザの操作無しにＰＣ１の電源を投入することが可能なように構成されている。また、ＰＣ１における画面解像度（８００×６００）の情報を有する信号がＨＤＭＩ送受信部５ｈによって受信された際に、制御部５ａによってＰＣ１における画面解像度（８００×６００）が認識されるように構成されている。
【００３７】
また、本実施形態では、ＴＶ５には、スケーラ５ｉと、映像合成部５ｊと、画面解像度が１９２０×１０８０である表示部５ｋとが設けられている。このスケーラ５ｉでは、制御部５ａによって、ＰＣ１における画面解像度（８００×６００）に基づいて作成されている位置情報が表示部５ｋにおける画面解像度（１９２０×１０８０）に合うように変換されるように構成されている。これにより、位置情報が表示部５ｋにおいて表示可能になる。
【００３８】
マウス３の位置情報の変換方法として、ＰＣ１における画面解像度（８００×６００）と、ＴＶ５における画面解像度（１９２０×１０８０）とのそれぞれの縦および横の比率を求める。そして、スケーラ５ｉにおいて、求めた縦の比率および横の比率に基づいて、制御部５ａによって、ＰＣ１における画面解像度（８００×６００）に基づいて作成されている位置情報が表示部５ｋにおける画面解像度（１９２０×１０８０）に合うように変換されるように構成されている。なお、本実施形態では、縦の比率は、１９２０／８００＝２．４であり、横の比率は、１０８０／６００＝１．８である。この縦の比率および横の比率に基づいて、制御部５ａによって、マウス３の位置情報が変換される。たとえば、ＰＣ１におけるマウス３の位置する座標を、それぞれ、左上を基準（ＰＣ［０、０］）として割り当てるとともに、ＴＶ５におけるマウス３の位置する座標を、それぞれ、左上を基準（ＴＶ［０、０］）として割り当てる。ここで、ＰＣ１におけるマウス３の位置情報がＰＣ［１、１］である場合には、ＴＶ５におけるマウス３の位置情報は、ＴＶ［１×２．４、１×１．８］＝ＴＶ［２．４、１．８］に変換される。なお、小数点以下は四捨五入されることにより、最終的に、ＰＣ１におけるマウス３の位置情報ＰＣ［１、１］はＴＶ［２、２］と変換される。
【００３９】
また、ＴＶ５の映像合成部５ｊでは、制御部５ａによって、変換された位置情報に基づいて作成されたＴＶカーソル８ｃ（図４参照）が、表示部５ｋにおいて表示されるＴＶ映像に重なるように合成されるように構成されている。また、ＴＶ５の制御部５ａにより合成されるように表示処理されたＴＶカーソル８ｃを含むＴＶ映像が、表示部５ｋにおいて表示されるように構成されている。なお、スケーラ５ｉは、本発明の「変換部」の一例である。
【００４０】
具体的には、図４に示すように、ＴＶ５の表示部５ｋには、テレビジョン放送が表示されているとともに、ＯＳＤ（Ｏｎ  Ｓｃｒｅｅｎ  Ｄｉｓｐｌａｙ）としてリモコン状のアイコン８ｄが表示されている。また、ＴＶ５の表示部５ｋには、映像合成部５ｊ（図２参照）において制御部５ａによって作成された黒塗りの矢印状のＴＶカーソル８ｃが表示されている。このＴＶカーソル８ｃは、テレビジョン放送およびアイコン８ｄのＴＶ映像に合成されている。また、ＴＶカーソル８ｃは、ＵＳＢ送受信部５ｄ（図２参照）から受信された位置情報に基づいて、制御部５ａ（図２参照）によってテレビジョン放送およびアイコン８ｄのＴＶ映像に合成されて表示部５ｋに表示されるように構成されている。たとえば、ユーザがマウス３（図２参照）を左に動かすと、マウス３の相対的な位置の変化として、マウス３の左への動きが位置情報としてＴＶ５に送信される。そして、制御部５ａによって、スケーラ５ｉ（図２参照）において変換された位置情報に基づいて、ＴＶカーソル８ｃがテレビジョン放送およびアイコン８ｄのＴＶ映像に合成される。これにより、表示部５ｋにＴＶカーソル８ｃが左に動くように表示されるように構成されている。なお、ＴＶカーソル８ｃは、本発明の「カーソル」の一例である。
【００４１】
また、ＴＶカーソル８ｃがアイコン８ｄ上の所定の位置に位置する状態で、ＵＳＢ送受信部５ｄに左クリック情報が受信されると、受信された左クリック情報に基づいて、制御部５ａによって、ＴＶカーソル８ｃが位置する位置において設定されている処理が行われるように構成されている。たとえば、図４に示すように、ＴＶカーソル８ｃが位置するアイコン８ｄ上に、ＥＰＧを読み出す制御が制御部５ａによって行われるように設定されている場合に、ユーザがマウス３の左ボタン３ｂ（図２参照）を押下すると、マウス３の左クリックが左クリック情報としてＴＶ５に送信されて、制御部５ａによってＥＰＧを読み出す処理が行われる。これにより、図５に示すように、テレビジョン放送およびリモコン状のアイコン８ｄ（図４参照）に代わって、ＥＰＧ８ｅが表示部５ｋに表示されるように構成されている。
【００４２】
また、ＥＰＧ８ｅが表示部５ｋに表示されているとともに、ＴＶカーソル８ｃがＥＰＧ８ｅ上で番組選択をしている状態で、ＵＳＢ送受信部５ｄ（図２参照）に左クリック情報が受信されると、受信された左クリック情報に基づいて、制御部５ａによって、ＴＶカーソル８ｃが選択している番組の予約に関する処理が行われるように構成されている。また、ＥＰＧ８ｅが表示部５ｋに表示されている状態で、ＵＳＢ送受信部５ｄにスクロール情報が受信されると、受信されたスクロール情報に基づいて、制御部５ａによって、ＥＰＧ８ｅが上下方向にスクロールされて表示される処理が行われるように構成されている。たとえば、ＥＰＧ８ｅが表示部５ｋに表示されている状態で、ユーザがホイール３ｄ（図２参照）を下方向に回転させると、ホイール３ｄの下方向の回転がスクロール情報としてＴＶ５に送信されて、制御部５ａによってＥＰＧ８ｅが下方向にスクロールされて表示部５ｋに表示される処理が行われる。これにより、ＥＰＧ８ｅの表示が図５の状態から図６の状態に変化するように構成されている。
【００４３】
また、ＴＶ５には、図２に示すように、リモートコントローラ７から出力される赤外線を受信する赤外線受信部５ｌがさらに設けられている。また、ＴＶ５の制御部５ａは、リモートコントローラ７から出力される赤外線に含まれるＴＶ５の操作に関する信号に基づいて、ＴＶ５の様々な制御を行うように構成されている。具体的には、制御部５ａは、音量の増減およびテレビジョン放送のチャンネル切り替えや、マウス３の位置情報、左クリック情報、右クリック情報およびスクロール情報（操作情報）をＵＳＢ端子５ｃを介してＵＳＢ送受信部５ｄに受信するか否かの操作などに関する制御を行うように構成されている。
【００４４】
また、ＴＶ５では、リモートコントローラ７からのＴＶ５の操作と、マウス３の操作情報とに基づくマウス３からのＴＶ５の操作との両方を受け付けることが可能なように構成されている。また、ＴＶ５の制御部５ａによって、ユーザのリモートコントローラ７における所定の操作に基づいて、リモートコントローラ７からのＴＶ５の操作を優先して、マウス３からのＴＶ５の操作を受け付けないようにすることが可能なように構成されている。
【００４５】
また、ＴＶ５にマウス３からの操作情報が入力されない場合には、図７に示すように、制御部５ａ（図２参照）によって、マウス３（図２参照）からの信号が入力されない旨のメッセージ８ｆが表示部５ｋに表示されるように構成されている。具体的には、ＰＣ１（図２参照）の制御部１ａ（図２参照）が操作情報をＵＳＢ送受信部１ｇ（図２参照）からＵＳＢ端子１ｅ（図２参照）を介して送信しないと設定されている場合や、ＰＣ１にマウス３が接続されておらず、操作情報をＰＣ１のＵＳＢ送受信部１ｇから出力されない場合である。
【００４６】
また、マウス３からの操作情報が入力されている一方、ＴＶ５において操作情報を受信するように設定されていない場合には、図８に示すように、制御部５ａ（図２参照）によって、マウス３（図２参照）からの操作を受け付けないモードである旨を示すメッセージ８ｇが表示部５ｋに表示されるように構成されている。具体的には、ＴＶ５の制御部５ａが操作情報をＵＳＢ送受信部５ｄ（図２参照）から受信しないと設定されている場合や、ユーザのリモートコントローラ７（図２参照）における所定の操作に基づいて、ＴＶ５の制御部５ａがリモートコントローラ７からのＴＶ５の操作を優先して、マウス３からのＴＶ５の操作を受け付けないように設定されている場合である。
【００４７】
また、ＴＶ５にマウス３からの操作情報が入力されているとともに、ＴＶ５において操作情報を受信するように設定されている場合には、図４〜図６に示すように、制御部５ａ（図２参照）によって、マウス３（図２参照）からの操作を受け付けるモードである旨を示すメッセージ８ｈが表示部５ｋに表示されるように構成されている。
【００４８】
また、ＰＣ１内での処理によって作成されたＰＣ映像は、ＨＤＭＩ端子５ｇ（図２参照）を介してＨＤＭＩ送受信部５ｈ（図２参照）に受信されることによって、図３に示すように、制御部５ａ（図２参照）によって、表示部５ｋに表示されるように構成されている。
【００４９】
なお、本実施形態において、位置情報を送信するためには、ＰＣ１における画面解像度（８００×６００）に基づいて、横１０ビットおよび縦１０ビット必要であり、左クリック情報および右クリック情報を送信するためには、それぞれ、押下された情報と押下されていない情報との２つの情報を送信する必要があるので、それぞれ１ビットずつ計２ビット必要である。また、ＵＳＢケーブルを用いて、スクロール情報を送信するためには、上方向のスクロールの情報と、下方向のスクロールの情報と、操作されていない情報との３つの情報を送信する必要があるので、２ビット必要である。すなわち、マウス３の操作情報（位置情報、左クリック情報、右クリック情報およびスクロール情報）に関する信号をＵＳＢケーブルを用いて送信するためには、少なくとも２４ビット必要である。
【００５０】
次に、図２および図９を参照して、本発明の一実施形態による情報表示システム１００のＰＣ１の制御フローについて説明する。
【００５１】
まず、図９に示すように、ステップＳ１において、ＰＣ１の制御部１ａ（図２参照）によって、マウス３（図２参照）を介してユーザに入力された位置情報、左クリック情報、右クリック情報およびスクロール情報（操作情報）が、ＵＳＢ端子１ｃ（図２参照）を介してＵＳＢ送受信部１ｇ（図２参照）に入力されたか否かが判断されるとともに、操作情報がＵＳＢ送受信部１ｇに入力されるまで、ステップＳ１の判断が繰り返される。そして、ステップＳ１において、制御部１ａによって、操作情報がＵＳＢ送受信部１ｇに入力されたと判断された場合には、ステップＳ２に進む。
【００５２】
そして、ステップＳ２において、制御部１ａによって、記憶部１ｂ（図２参照）に記憶されているドライバおよびアプリケーションに基づいて、マウス３を介してＵＳＢ送受信部１ｇに入力された操作情報をＵＳＢ送受信部１ｇからＵＳＢ端子１ｅ（図２参照）を介して送信するように設定されているか否かが判断される。そして、ステップＳ２において、制御部１ａによって、操作情報を送信するように設定されていると判断された場合には、ステップＳ３において、制御部１ａによって、操作情報は解析されずに、ＵＳＢ送受信部１ｇからＵＳＢ端子１ｅを介してＴＶ５（図２参照）にそのまま送信される。そして、ＰＣ１の制御部１ａの制御が終了される。また、ステップＳ２において、制御部１ａによって、操作情報を送信するように設定されていないと判断された場合には、ステップＳ４に進む。
【００５３】
そして、ステップＳ４において、制御部１ａによって、マウス３の操作情報を解析して、ＰＣ１内で処理が行われる。そして、ステップＳ５において、ＰＣ１内での処理によって作成されたＰＣ映像が、ＨＤＭＩ送受信部１ｈ（図２参照）からＨＤＭＩ端子１ｆ（図２参照）を介して、ＴＶ５に送信される。そして、ＰＣ１の制御部１ａの制御が終了される。
【００５４】
次に、図２〜図８および図１０を参照して、本発明の一実施形態による情報表示システム１００のＴＶ５の制御フローについて説明する。
【００５５】
まず、図１０に示すように、ステップＳ１１において、ＴＶ５の制御部５ａ（図２参照）によって、マウス３（図２参照）からの位置情報、左クリック情報、右クリック情報およびスクロール情報（操作情報）をＵＳＢ端子５ｃ（図２参照）を介してＵＳＢ送受信部５ｄ（図２参照）に受信するように設定されているか否かが判断される。そして、ステップＳ１１において、制御部５ａによって、マウス３からの操作情報を受信するように設定されていると判断された場合には、ステップＳ１２に進む。また、ステップＳ１１において、制御部５ａによって、マウス３からの操作情報を受信するように設定されていないと判断された場合には、ＴＶ５の制御部５ａの制御が終了される。
【００５６】
また、ステップＳ１２において、制御部５ａによって、ＨＤＭＩ送受信部５ｈ（図２参照）からＨＤＭＩ端子５ｇ（図２参照）を介して、ＰＣ１（図２参照）の電源がオン状態であるか否かを確認する信号を送信し、ＰＣ１から返信があるか否かを判断することによって、ＰＣ１のオン状態であるか否かが判断される。そして、ステップＳ１２において、制御部５ａによって、ＰＣ１のオン状態でない（オフ状態である）と判断された場合には、ステップＳ１３において、ＨＤＭＩ送受信部５ｈからＨＤＭＩ端子５ｇを介して、ＰＣ１の電源を投入するための信号が送信される。これにより、ＰＣ１の電源が投入されてオン状態になる。また、ステップＳ１２において、制御部５ａによって、ＰＣ１の電源がオン状態であると判断された場合には、ステップＳ１４に進む。
【００５７】
また、ステップＳ１４において、制御部５ａによって、マウス３からの操作情報がＵＳＢ端子５ｃを介してＵＳＢ送受信部５ｄに受信されているか否かが判断される。そして、ステップＳ１４において、制御部５ａによって、操作情報が受信されていないと判断された場合（ＰＣ１の制御部１ａ（図２参照）が、操作情報をＵＳＢ送受信部１ｇ（図２参照）からＵＳＢ端子１ｅ（図２参照）を介して送信しないと設定されている場合や、ＰＣ１にマウス３が接続されておらず、操作情報をＰＣ１のＵＳＢ送受信部１ｇから出力されない場合）には、ステップＳ１５に進む。また、ステップＳ１４において、制御部５ａによって、操作情報が受信されたと判断された場合には、ステップＳ１８に進む。
【００５８】
そして、ステップＳ１５において、制御部５ａによって、ＰＣ１内での処理によって作成されたＰＣ映像が、ＨＤＭＩ端子５ｇを介してＨＤＭＩ送受信部５ｈに受信されているか否かが判断される。そして、ステップＳ１５において、制御部５ａによって、ＰＣ映像が受信されたと判断された場合には、ステップＳ１６において、図３に示すようなＰＣ映像が表示部５ｋに表示される。そして、ＴＶ５の制御部５ａの制御が終了される。また、ステップＳ１５において、制御部５ａによって、ＰＣ映像が受信されていないと判断された場合には、ステップＳ１７において、図７に示すようなマウス３からの信号が入力されない旨のメッセージ８ｆ（「マウスからの信号が入力されません。接続状態を確認してください。」）が表示部５ｋに表示される。そして、ＴＶ５の制御部５ａの制御が終了される。
【００５９】
次に、ステップＳ１８において、制御部５ａによって、ＴＶ５においてマウス３の位置情報、左クリック情報、右クリック情報およびスクロール情報（操作情報）が受信可能な状態であるか否かが判断される。そして、ステップＳ１８において、制御部５ａによって、操作情報が受信可能な状態でないと判断された場合（ＰＣ１のＵＳＢ送受信部１ｇから操作情報が出力されている一方、ＴＶ５の制御部５ａが操作情報をＵＳＢ送受信部５ｄから受信しないと設定されている場合や、ユーザのリモートコントローラ７（図２参照）における所定の操作に基づいて、ＴＶ５の制御部５ａがリモートコントローラ７からのＴＶ５の操作を優先して、マウス３からのＴＶ５の操作を受け付けないように設定されている場合）には、ステップＳ１９において、制御部５ａによって、図８に示すようなマウス３からの操作を受け付けないモードである旨を示すメッセージ８ｇ（「マウス操作：ｏｆｆ」）が表示部５ｋに表示される。そして、ＴＶ５の制御部５ａの制御が終了される。また、ステップＳ１８において、制御部５ａによって、操作情報が受信可能な状態であると判断された場合には、ステップＳ２０に進む。
【００６０】
また、ステップＳ２０において、制御部５ａによって、図４〜図６に示すようなマウス３からの操作を受け付けるモードである旨を示すメッセージ８ｈ（「マウス操作：ｏｎ」）が表示部５ｋに表示される。そして、ステップＳ２１において、スケーラ５ｉ（図２参照）において、ＰＣ１における画面解像度（８００×６００）に基づいて作成されている位置情報が表示部５ｋにおける画面解像度（１９２０×１０８０）に合うように変換される。そして、ステップＳ２２に進む。
【００６１】
また、ステップＳ２２において、制御部５ａによって、受信した操作情報に左クリック情報、右クリック情報およびスクロール情報（動作制御情報）が含まれるか否かが判断される。そして、ステップＳ２２において、制御部５ａによって、操作情報に動作制御情報が含まれると判断された場合には、ステップＳ２３に進む。また、ステップＳ２２において、制御部５ａによって、操作情報に動作制御情報が含まれないと判断された場合には、ステップＳ２５に進む。
【００６２】
次に、ステップＳ２３において、制御部５ａによって、ＴＶカーソル８ｃ（図４〜図６参照）が表示される位置に、受信した動作制御情報に対応する処理が設定されているか否かが判断される。そして、ステップＳ２３において、制御部５ａによって、ＴＶカーソル８ｃが表示される位置に、受信した動作制御情報に対応する処理が設定されていると判断された場合には、ステップＳ２４に進む。また、ステップＳ２３において、制御部５ａによって、位置情報に基づいて決定されるＴＶカーソル８ｃが表示される位置に、受信した動作制御情報に対応する処理が設定されていないと判断された場合には、ステップＳ２５に進む。
【００６３】
そして、ステップＳ２４において、制御部５ａによって、受信した動作制御情報に対応するようにＴＶカーソル８ｃが表示される位置に設定されている処理が行われる。最後に、ステップＳ２５において、変換された位置情報がＴＶカーソル８ｃとして、表示部５ｋにおいて表示されるＴＶ映像に重なるように合成されるとともに、合成されるように表示処理されたＴＶカーソル８ｃを含むＴＶ映像が、表示部５ｋにおいて表示される。そして、ＴＶ５の制御部５ａの制御が終了される。
【００６４】
本実施形態では、上記のように、映像合成部５ｊにおいて、ＴＶ５の制御部５ａが、マウス３の変換された位置情報に基づいて、ＴＶカーソル８ｃが表示部５ｋにおいて表示されるＴＶ映像に重なるように合成するように構成することによって、ユーザが直感的に操作することが可能なマウス３の位置情報に基づいて、制御部５ａがＴＶカーソル８ｃをＴＶ映像に重なるように合成することができるので、マウス３の操作情報に基づく操作に関するＴＶ５への処理をＰＣ１において行う必要がない。これにより、ＰＣ１における処理が増大するのを抑制することができるので、ＰＣ１にかかる負荷が増大するのを抑制することができる。さらに、ＴＶ５を操作する際のユーザの操作性も向上させることができる。また、ＰＣ１において、マウス３の位置情報、左クリック情報、右クリック情報およびスクロール情報（操作情報）をＵＳＢ送受信部１ｇからＵＳＢ端子１ｅを介して送信するか否かがユーザによって設定可能であるとともに、ＴＶ５において、操作情報をＵＳＢ端子５ｃを介してＵＳＢ送受信部５ｄに受信するか否かがユーザによって設定可能なように構成することによって、ＰＣ１からＴＶ５への操作情報が不要な際には、ユーザはＰＣ１からＴＶ５への操作情報の送信を行わないように設定することができる。これにより、ＴＶ５に不要な操作情報が送信されるのを抑制することができるので、ＴＶ５にかかる負荷が増大するのを抑制することができる。
【００６５】
また、本実施形態では、上記のように、スケーラ５ｉにおいて、制御部５ａによって、ＰＣ１における画面解像度（８００×６００）に基づいて作成されている位置情報が表示部５ｋにおける画面解像度（１９２０×１０８０）に合うように変換されるように構成することによって、マウス３の位置情報に基づいて、制御部５ａによって、ＴＶカーソル８ｃをＴＶ映像に合成する表示処理が行われるとともに、表示処理が行われたＴＶ映像をＴＶ５の表示部５ｋに表示させることができる。
【００６６】
また、本実施形態では、上記のように、制御部１ａによって、マウス３の位置情報、左クリック情報、右クリック情報およびスクロール情報（操作情報）をＵＳＢ端子１ｃを介してＵＳＢ送受信部１ｇに受信することを可能にするドライバおよびアプリケーションと、操作情報をＵＳＢ送受信部１ｇからＵＳＢ端子１ｅを介して送信するか否かをユーザによって設定可能にするドライバおよびアプリケーションと、操作情報をＵＳＢ送受信部１ｇから送信するとユーザによって設定された際には、操作情報をＵＳＢ送受信部１ｇからＵＳＢ端子１ｅを介して送信可能にするドライバおよびアプリケーションとを、ＰＣ１とＴＶ５とがＵＳＢケーブル２ｃを介して接続された際に、ＴＶ５から送信されてＵＳＢ送受信部１ｇにおいて受信するように構成することによって、ユーザに別途操作を行わせることなくＰＣ１とＴＶ５とを接続するだけにより、ＰＣ１は、マウス３を介して入力された操作情報を送信するためのドライバおよびアプリケーションを得ることができる。さらに、ＰＣ１は、取得したドライバおよびアプリケーションに基づいて、容易に、操作情報の送信を行うか否かの設定およびＴＶ５への操作情報の送信を行うことができる。これらにより、ユーザの利便性をより向上させることができる。
【００６７】
また、本実施形態では、上記のように、ＰＣ１からＴＶ５へ、マウス３の位置情報、左クリック情報、右クリック情報およびスクロール情報（操作情報）の送信を行うか否かについてのメッセージ８ｆ〜８ｈを表示部５ｋに表示することによって、ＰＣ１からＴＶ５への操作情報の送信を行うか否かの設定状態をユーザに視覚的に認識させることができる。これにより、ユーザはＰＣ１とＴＶ５とのいずれを操作しているかを視覚的に確認することができるので、ユーザが意図する操作と異なる操作が情報表示システム１００において行われるのを抑制することができる。
【００６８】
また、本実施形態では、上記のように、ＴＶ５の制御部５ａが、ユーザのリモートコントローラ７における所定の操作に基づいて、リモートコントローラ７からのＴＶ５の操作を優先して、マウス３からのＴＶ５の操作を受け付けないようにすることが可能なように構成することによって、ユーザによってリモートコントローラ７とマウス３との両方においてＴＶ５が操作されるように構成されている場合に、リモートコントローラ７へのユーザの操作に基づく処理を優先させるように構成することによって、ユーザが意図せずにマウス３を操作することに起因して、ユーザが意図する操作と異なる操作が情報表示システム１００において行われるのを抑制することができる。
【００６９】
次に、図３、図４、図１１〜図１４を参照して、本実施形態の第１変形例について説明する。この本実施形態の第１変形例による情報表示システム２００では、上記実施形態と異なり、セットトップボックス（ＳＴＢ）２１０およびディスプレイ２１１を用いるとともに、マウス３の位置情報、左クリック情報、右クリック情報およびスクロール情報（操作情報）をアナログＲＧＢケーブル２０９を用いてＰＣ２０１からＳＴＢ２１０に送信する場合について説明する。
【００７０】
まず、図３、図４、図１１および図１２を参照して、本発明の一実施形態の第１変形例による情報表示システム２００の構成について説明する。
【００７１】
本発明の一実施形態の第１変形例による情報表示システム２００では、図１１に示すように、パーソナルコンピュータ（ＰＣ）２０１に、マウス３およびキーボード４がそれぞれ接続されている。また、ＰＣ２０１に、アナログＲＧＢケーブル２０９を介して、セットトップボックス（ＳＴＢ）２１０が接続されている。また、ＳＴＢ２１０は、画面解像度が１９２０×１０８０である。また、ＳＴＢ２１０に、ＨＤＭＩケーブル２０６を介して、ディスプレイ２１１が接続されている。これにより、ＨＤＭＩケーブル２０６を介して、ＰＣ２０１およびＳＴＢ２１０においてそれぞれ作成（合成）されたＰＣ映像およびＳＴＢ映像がＳＴＢ２１０からディスプレイ２１１に送信されるように構成されている。なお、ＳＴＢ２１０は、本発明の「受信装置」の一例である。
【００７２】
また、ＰＣ２０１には、図１２に示すように、ＶＧＡ端子２０１ｉが設けられている。このＶＧＡ端子２０１ｉは、アナログＲＧＢケーブル２０９を介してＳＴＢ２１０の後述するＶＧＡ端子２１０ｃと接続されている。また、ＶＧＡ端子２０１ｉは、アナログＲＧＢ送受信部２０１ｊに接続されている。また、制御部１ａによって、アナログＲＧＢ送受信部２０１ｊからＶＧＡ端子２０１ｉを介してアナログＲＧＢケーブル２０９にアナログＲＧＢ信号が送信されるように構成されている。また、ＰＣ２０１には、アナログＲＧＢケーブル２０９からアナログＲＧＢ送受信部２０１ｊにアナログＲＧＢ信号が受信されるように構成されている。
【００７３】
また、ＰＣ２０１には、インターネットと接続するためのインターネット接続部２０１ｋが設けられている。また、インターネットからインターネット接続部２０１ｋを介してダウンロードすることによって、記憶部１ｂにドライバおよびアプリケーションがプログラムとして格納されるように構成されている。
【００７４】
また、ＰＣ２０１には、スケーラ２０１ｌが設けられている。このスケーラ２０１ｌでは、ＰＣ２０１の制御部１ａによって、ＰＣ２０１における画面解像度（８００×６００）に基づいて作成されている位置情報がＳＴＢ２１０における画面解像度（１９２０×１０８０）に合うように変換されるように構成されている。なお、ＰＣ２０１のドライバおよびアプリケーションにおいて、ユーザがＳＴＢ２１０における画面解像度（１９２０×１０８０）を入力することによって、制御部１ａによってＳＴＢ２１０における画面解像度（１９２０×１０８０）が認識されるように構成されている。なお、スケーラ２０１ｌは、本発明の「変換部」の一例である。
【００７５】
また、ＰＣ２０１には、信号挿入部２０１ｍが設けられている。この信号挿入部２０１ｍは、制御部１ａによって、マウス３の位置情報、左クリック情報、右クリック情報およびスクロール情報（操作情報）をアナログＲＧＢ信号に挿入可能に構成されている。具体的には、アナログＲＧＢ信号において、１画面分のアナログＲＧＢ信号と次の１画面分のアナログＲＧＢ信号との間には、画面に関する信号を含まない部分（ＶＢＩ（Ｖｅｒｔｉｃａｌ  Ｂｌａｎｋｉｎｇ  Ｉｎｔｅｒｖａｌ））が存在する。このＶＢＩに、マウス３の操作情報が挿入されるように構成されている。また、アナログＲＧＢ信号は、１秒間に１画面分のアナログＲＧＢ信号を６０回送信可能なように構成されている。これにより、操作情報は、アナログＲＧＢケーブル２０９を介して１秒間に６０回送信可能なように構成されている。
【００７６】
また、本実施形態の第１変形例では、記憶部１ｂのドライバおよびアプリケーションは、ＰＣ２０１において、マウス３の操作情報が含まれるアナログＲＧＢ信号をアナログＲＧＢ送受信部２０１ｊからＶＧＡ端子２０１ｉを介して送信するか否かをユーザによって設定可能なように構成されている。また、操作情報が含まれるアナログＲＧＢ信号をアナログＲＧＢ送受信部２０１ｊから送信するとユーザによって設定された際には、ＰＣ２０１の制御部１ａによって、記憶部１ｂに記憶されているドライバおよびアプリケーションに基づいて、位置情報が変換された操作情報が含まれるアナログＲＧＢ信号がアナログＲＧＢ送受信部２０１ｊからＶＧＡ端子２０１ｉを介して送信されるように構成されている。
【００７７】
また、操作情報が含まれるアナログＲＧＢ信号をアナログＲＧＢ送受信部２０１ｊからＶＧＡ端子２０１ｉから送信しないとユーザによって設定された際には、制御部１ａによって、操作情報が解析されて、ＰＣ２０１内での処理が行われるように構成されている。また、ＰＣ２０１内での処理によって作成されたＰＣ映像は、アナログＲＧＢ信号としてアナログＲＧＢ送受信部２０１ｊからＶＧＡ端子２０１ｉを介して、ＳＴＢ２１０に送信されるとともに、ＳＴＢ２１０からＨＤＭＩケーブル２０６を介して、ディスプレイ２１１に送信されるように構成されている。
【００７８】
また、図１２に示すように、ＳＴＢ２１０には、制御部２１０ａと、フラッシュメモリなどの不揮発性メモリからなり、制御部２１０ａにおいて用いられるプログラムなどが格納された記憶部２１０ｂと、ＶＧＡ端子２１０ｃと、ＶＧＡ端子２１０ｃと接続されたアナログＲＧＢ送受信部２１０ｄとが設けられている。また、制御部２１０ａによって、アナログＲＧＢ送受信部２１０ｄからＶＧＡ端子２１０ｃを介して、アナログＲＧＢケーブル２０９に信号が送信されるように構成されている。また、ＳＴＢ２１０には、アナログＲＧＢケーブル２０９からアナログＲＧＢ送受信部２１０ｄに信号が受信されるように構成されている。なお、アナログＲＧＢ送受信部２１０ｄは、本発明の「受信部」の一例である。
【００７９】
また、本実施形態の第１変形例では、制御部２１０ａによって、ＳＴＢ２１０において、マウス３の位置情報、左クリック情報、右クリック情報およびスクロール情報（操作情報）がＶＧＡ端子２１０ｃを介してアナログＲＧＢ送受信部２１０ｄに受信されるか否かが設定可能にされるように構成されている。また、制御部２１０ａが操作情報をＶＧＡ端子２１０ｃを介してアナログＲＧＢ送受信部２１０ｄに受信すると設定された際には、操作情報をＶＧＡ端子２１０ｃを介してアナログＲＧＢ送受信部２１０ｄに受信するように構成されている。一方、制御部２１０ａが操作情報をＶＧＡ端子２１０ｃを介してアナログＲＧＢ送受信部２１０ｄに受信しないと設定された際には、制御部２１０ａによって、操作情報がＶＧＡ端子２１０ｃを介してアナログＲＧＢ送受信部２１０ｄに受信されないように構成されている。
【００８０】
具体的な設定の手順としては、ＳＴＢ２１０において、マウス３の操作情報をＶＧＡ端子２１０ｃを介してアナログＲＧＢ送受信部２１０ｄに受信している状態において、図３のようなマウス操作選択画面において、操作情報をＶＧＡ端子２１０ｃを介してアナログＲＧＢ送受信部２１０ｄに受信しないとユーザによって選択されることによって、ＰＣ２０１の操作に切り替える処理が制御部２１０ａによって行われるように構成されている。つまり、制御部２１０ａによって、操作情報がＶＧＡ端子２１０ｃを介してアナログＲＧＢ送受信部２１０ｄに受信されないように切り替えられるように構成されている。
【００８１】
また、ＳＴＢ２１０には、図１２に示すように、ケーブル放送およびケーブル放送に関する電子番組表（ＥＰＧ）をそれぞれ受信可能なケーブル放送受信部２１０ｅと、ディスプレイ２１１の後述するＨＤＭＩ端子２１１ａと接続されているＨＤＭＩケーブル２０６が接続されるＨＤＭＩ端子２１０ｆと、ＨＤＭＩ端子２１０ｆに接続されるＨＤＭＩ送受信部２１０ｇとが設けられている。
【００８２】
また、ＳＴＢ２１０には、映像合成部２１０ｈが設けられている。この映像合成部２１０ｈでは、制御部２１０ａによって、位置情報が変換された位置情報に基づいて作成されたＴＶカーソル８ｃ（図４参照）が、ディスプレイ２１１の後述する表示部２１１ｄにおいて表示されるＳＴＢ映像に重なるように合成されるように構成されている。
【００８３】
また、ＳＴＢ２１０には、赤色、オレンジ色および緑色に光ることが可能なＬＥＤ２１０ｉが設けられている。このＬＥＤ２１０ｉは、ＳＴＢ２１０にマウス３からの位置情報、左クリック情報、右クリック情報およびスクロール情報（操作情報）が入力されない場合、制御部２１０ａによって、赤色に点灯させられる。これにより、ＬＥＤ２１０ｉによって、マウス３からの信号が入力されない旨がユーザに視覚的に通知されるように構成されている。また、ＳＴＢ２１０にマウス３からの操作情報が入力されている一方、ＳＴＢ２１０において操作情報を受信しない場合、制御部２１０ａによって、オレンジ色に点灯させられる。これにより、ＬＥＤ２１０ｉによって、マウス３からの操作を受け付けないモードである旨がユーザに視覚的に通知されるように構成されている。また、ＳＴＢ２１０にマウス３からの操作情報が入力されているとともに、ＳＴＢ２１０において操作情報を受信するように設定されている場合、制御部２１０ａによって、緑色に点灯させられる。これにより、ＬＥＤ２１０ｉによって、マウス３からの操作を受け付けるモードである旨がユーザに視覚的に通知されるように構成されている。なお、ＬＥＤ２１０ｉは、本発明の「表示手段」の一例である。
【００８４】
また、図１２に示すように、ディスプレイ２１１には、ＨＤＭＩ端子２１１ａと、ＨＤＭＩ端子２１１ａに接続されるＨＤＭＩ送受信部２１１ｂとが設けられている。このＨＤＭＩ端子２１１ａは、ＨＤＭＩケーブル２０６を介してＳＴＢ２１０のＨＤＭＩ端子２１０ｆと接続されている。これにより、ＨＤＭＩケーブル２０６を介して、ＳＴＢ２１０からＰＣ２０１およびＳＴＢ２１０においてそれぞれ作成（合成）されたＰＣ映像およびＳＴＢ映像が受信されるように構成されている。また、ディスプレイ２１１は、ＰＣ２０１側でなくＳＴＢ２１０側に設けられている。
【００８５】
また、ディスプレイ２１１には、制御部２１１ｃと、制御部２１１ｃによって、ＰＣ２０１およびＳＴＢ２１０においてそれぞれ作成（合成）されたＰＣ映像およびＳＴＢ映像が表示される表示部２１１ｄとが設けられている。
【００８６】
なお、本実施形態の第１変形例において、位置情報を送信するためには、ＳＴＢ２１０における画面解像度（１９２０×１０８０）に基づいて、横１１ビットおよび縦１１ビット必要であり、左クリック情報および右クリック情報を送信するためには、それぞれ、押下された情報と押下されていない情報との２つの情報を送信する必要があるので、それぞれ１ビットずつ計２ビット必要である。また、アナログＲＧＢケーブルを用いて、スクロール情報を送信するためには、上方向のスクロールの情報と、下方向のスクロールの情報と、操作されていない情報との３つの情報を送信する必要があるので、２ビット必要である。すなわち、マウス３の操作情報（位置情報、左クリック情報、右クリック情報およびスクロール情報）に関する信号をアナログＲＧＢケーブルを用いて送信するためには、少なくとも２６ビット必要である。なお、本実施形態の第１変形例のその他の構成は、上記実施形態と同様である。
【００８７】
次に、図１２および図１３を参照して、本発明の一実施形態の第１変形例による情報表示システム２００のＰＣ２０１の制御フローについて説明する。
【００８８】
まず、図１３に示すように、ステップＳ２０１において、ＰＣ２０１の制御部１ａ（図１２参照）によって、マウス３（図１２参照）を介してユーザに入力された位置情報、左クリック情報、右クリック情報およびスクロール情報（操作情報）が、ＵＳＢ端子１ｃ（図１２参照）を介してＵＳＢ送受信部１ｇ（図１２参照）に入力されたか否かが判断されるとともに、操作情報がＵＳＢ送受信部１ｇに入力されるまで、ステップＳ２０１の判断が繰り返される。そして、ステップＳ２０１において、制御部１ａによって、操作情報がＵＳＢ送受信部１ｇに入力されたと判断された場合には、ステップＳ２０２に進む。
【００８９】
そして、ステップＳ２０２において、制御部１ａによって、記憶部１ｂ（図１２参照）に記憶されているドライバおよびアプリケーションに基づいて、マウス３を介してＵＳＢ送受信部１ｇに入力された操作情報をアナログＲＧＢ送受信部２０１ｊ（図１２参照）からＶＧＡ端子２０１ｉ（図１２参照）を介して送信するように設定されているか否かが判断される。そして、ステップＳ２０２において、制御部１ａによって、操作情報を送信するように設定されていると判断された場合には、ステップＳ２０３に進む。また、ステップＳ２０２において、制御部１ａによって、操作情報を送信するように設定されていないと判断された場合には、ステップＳ２０６に進む。
【００９０】
また、ステップＳ２０３において、制御部１ａによって、スケーラ２０１ｌ（図１２参照）において、ＰＣ２０１における画面解像度（８００×６００）に基づいて作成されている位置情報がＳＴＢ２１０（図１２参照）における画面解像度（１９２０×１０８０）に合うように変換される。そして、ステップＳ２０４において、信号挿入部２０１ｍ（図１２参照）において、位置情報が変換された位置情報と、左クリック情報、右クリック情報およびスクロール情報（動作制御情報）とをアナログＲＧＢ信号に挿入する。そして、ステップＳ２０５において、マウス３の操作情報が含まれたアナログＲＧＢ信号がアナログＲＧＢ送受信部２０１ｊからＶＧＡ端子２０１ｉを介して送信される。そして、ＰＣ２０１の制御部１ａの制御が終了される。
【００９１】
また、ステップＳ２０６において、制御部１ａによって、マウス３の操作情報を解析して、ＰＣ２０１内で処理が行われる。そして、ステップＳ２０７において、スケーラ２０１ｌにおいて、ＰＣ２０１における画面解像度（８００×６００）に基づいて作成されたＰＣ映像が、ＳＴＢ２１０における画面解像度（１９２０×１０８０）に合うように変換される。そして、ステップＳ２０８において、ＰＣ映像がアナログＲＧＢ信号としてアナログＲＧＢ送受信部２０１ｊからＶＧＡ端子２０１ｉを介して送信される。そして、ＰＣ２０１の制御部１ａの制御が終了される。
【００９２】
次に、図４、図１２および図１４を参照して、本発明の一実施形態の第１変形例による情報表示システム２００のＳＴＢ２１０の制御フローについて説明する。
【００９３】
まず、図１４に示すように、ステップＳ２１１において、制御部２１０ａによって、マウス３（図１２参照）からの位置情報、左クリック情報、右クリック情報およびスクロール情報（操作情報）が含まれたアナログＲＧＢ信号が、ＶＧＡ端子２１０ｃ（図１２参照）を介してアナログＲＧＢ送受信部２１０ｄ（図１２参照）に受信されているか否かが判断される。そして、ステップＳ２１１において、制御部２１０ａによって、操作情報が含まれたアナログＲＧＢ信号が受信されていないと判断された場合には、ステップＳ２１２に進む。また、ステップＳ２１１において、制御部２１０ａによって、操作情報が含まれたアナログＲＧＢ信号が受信されたと判断された場合には、ステップＳ２１５に進む。
【００９４】
そして、ステップＳ２１２において、制御部２１０ａによって、ＰＣ２０１内での処理によって作成されたＰＣ映像が、アナログＲＧＢ信号としてＶＧＡ端子２１０ｃを介してアナログＲＧＢ送受信部２１０ｄに受信されているか否かが判断される。そして、ステップＳ２１２において、制御部２１０ａによって、ＰＣ映像がアナログＲＧＢ信号として受信されたと判断された場合には、ステップＳ２１３において、ＰＣ映像がＨＤＭＩ送受信部２１０ｇ（図１２参照）からＨＤＭＩ端子２１０ｆ（図１２参照）を介して、ディスプレイ２１１に送信される。そして、ＳＴＢ２１０の制御部２１０ａの制御が終了される。また、ステップＳ２１２において、制御部２１０ａによって、ＰＣ映像がアナログＲＧＢ信号として受信されていないと判断された場合には、ステップＳ２１４において、ＬＥＤ２１０ｉ（図１２参照）を赤色に点灯させる。そして、ＳＴＢ２１０の制御部２１０ａの制御が終了される。
【００９５】
また、ステップＳ２１５において、制御部２１０ａによって、ＳＴＢ２１０においてマウス３の位置情報、左クリック情報、右クリック情報およびスクロール情報（操作情報）が含まれるアナログＲＧＢ信号を受信可能な状態であるか否かが判断される。そして、ステップＳ２１５において、制御部２１０ａによって、操作情報が含まれるアナログＲＧＢ信号を受信可能な状態でないと判断された場合には、ステップＳ２１６において、ＬＥＤ２１０ｉをオレンジ色に点灯させる。そして、ＳＴＢ２１０の制御部２１０ａの制御が終了される。また、ステップＳ２１５において、制御部２１０ａによって、操作情報が含まれるアナログＲＧＢ信号を受信可能な状態であると判断された場合には、ステップＳ２１７に進む。
【００９６】
また、ステップＳ２１７において、制御部２１０ａによって、ＬＥＤ２１０ｉを緑色に点灯させる。そして、ステップＳ２１８において、制御部２１０ａによって、受信した操作情報に左クリック情報、右クリック情報およびスクロール情報（動作制御情報）が含まれるか否かが判断される。そして、ステップＳ２１９において、制御部２１０ａによって、操作情報に動作制御情報が含まれると判断された場合には、ステップＳ２１９に進む。また、ステップＳ２１８において、制御部２１０ａによって、操作情報に動作制御情報が含まれないと判断された場合には、ステップＳ２２１に進む。
【００９７】
次に、ステップＳ２１９において、制御部２１０ａによって、位置情報に基づいて決定されるＴＶカーソル８ｃ（図４参照）が表示される位置に、受信した動作制御情報に対応する処理が設定されているか否かが判断される。そして、ステップＳ２１９において、制御部２１０ａによって、ＴＶカーソル８ｃが表示される位置に、受信した動作制御情報に対応する処理が設定されていると判断された場合には、ステップＳ２２０に進む。また、ステップＳ２１９において、制御部２１０ａによって、位置情報に基づいて決定されるＴＶカーソル８ｃが表示される位置に、受信した動作制御情報に対応する処理が設定されていないと判断された場合には、ステップＳ２２１に進む。
【００９８】
そして、ステップＳ２２０において、制御部２１０ａによって、受信した動作制御情報に対応するようにＴＶカーソル８ｃが表示される位置に設定されている処理が行われる。最後に、ステップＳ２２１において、制御部２１０ａによって、位置情報が変換された位置情報がＴＶカーソル８ｃとして、表示部２１１ｄ（図１２参照）において表示されるＳＴＢ映像に重なるように合成されるとともに、合成されるように表示処理されたＴＶカーソル８ｃを含むＳＴＢ映像が、ＨＤＭＩ送受信部２１０ｇからＨＤＭＩ端子２１０ｆを介して、ディスプレイ２１１に送信される。そして、ＳＴＢ２１０の制御部２１０ａの制御が終了される。なお、本実施形態の第１変形例の効果は、上記実施形態と同様である。
【００９９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【０１００】
たとえば、上記実施形態では、マウス３の位置情報に基づいて、矢印状のＴＶカーソル８ｃを移動させる例を示したが、本発明はこれに限らず、上下左右方向に対するマウスの所定の距離の移動を、選択肢上のみを移動可能なセレクトカーソルの移動として認識するように構成してもよい。具体的には、図１５に示すように、本実施形態の第２変形例において、ＴＶ５の表示部５ｋにＯＳＤとして選択アイコン３０８ｉが表示されているとともに、選択アイコン３０８ｉの「通常」という選択肢の上にセレクトカーソル３０８ｊが位置するように表示されている。この状態から、ユーザがマウス３（図２参照）を上方向に所定の距離だけ動かすことにより、ＴＶ５の制御部５ａ（図２参照）によって、マウス３は選択アイコン３０８ｉの選択肢１つ分上に動いたと認識されるように構成されている。これにより、図１６に示すように、セレクトカーソル３０８ｊは、選択肢１つ分上に動いた状態で表示部５ｋに表示されることにより、選択アイコン３０８ｉが「明るく」という選択肢上にセレクトカーソル３０８ｊが位置するように表示されるように構成してもよい。このように構成することによって、マウス３の移動を送信するためには、所定の距離の移動したか否かの１ビットが、上下左右方向のそれぞれの方向に対して必要になるので、計４ビット必要になり、本実施形態におけるマウス３の位置情報の送信に必要な横１０ビットおよび縦１０ビット（計２０ビット）よりもビット数が少なくなる。これにより、マウス３の操作情報に関する信号を送信する際のビット数を少なくすることが可能である。
【０１０１】
また、上記実施形態では、ＰＣ１において用いられるドライバおよびアプリケーションを、ＰＣ１とＴＶ５とがＵＳＢケーブル２ｃを介して接続された際に、ＴＶ５から送信されることによって、ＰＣ１が記憶部１ｂに格納するように構成するとともに、上記実施形態の第１変形例では、ＰＣ２０１において用いられるドライバおよびアプリケーションを、インターネットからインターネット接続部２０１ｋを介してダウンロードすることによって、ＰＣ２０１が記憶部１ｂに格納するように構成した例を示したが、本発明はこれに限らず、ＰＣにおいて用いられるドライバおよびアプリケーションは、予め記憶部に格納させておいてもよい。また、ドライバおよびアプリケーションは、ＤＶＤなどの記憶媒体などからＰＣにインストールすることによって、記憶部に格納させてもよい。
【０１０２】
また、上記実施形態では、マウス３の位置情報、左クリック情報、右クリック情報およびスクロール情報（操作情報）をＵＳＢ送受信部１ｇからＵＳＢ端子１ｅを介して送信しない状態において、アイコン８ｂが選択されることによって、操作情報がＵＳＢ送受信部１ｇからＵＳＢ端子１ｅを介して送信されるように切り替わるように構成した例を示したが、本発明はこれに限らず、たとえば、ＰＣの筐体に切り替えボタンを設けることによって、マウスの操作情報をＵＳＢ送受信部からＵＳＢ端子を介して送信するか否かをユーザに設定させてもよい。
【０１０３】
また、上記実施形態では、ユーザによって、リモートコントローラ７において所定の操作が行われることにより、マウス３の操作情報をＵＳＢ端子５ｃを介してＵＳＢ送受信部５ｄに受信するか否かが設定されるように構成した例を示したが、本発明はこれに限らず、たとえば、表示部においてＰＣの操作に切り替えるアイコンを表示させて、ユーザにアイコンを選択させることによって、ＰＣの操作に切り替えるように構成してもよい。
【０１０４】
また、上記実施形態では、本発明の「入力装置」として、マウス３を用いた例を示したが、本発明はこれに限らず、たとえば、キーボードや、ジョイスティックなどのマウス以外の入力装置を用いてもよい。
【０１０５】
また、上記実施形態では、マウス３を１つ用いた例を示したが、本発明はこれに限らず、マウスを複数個用いてもよい。この際、それぞれのマウスに対応するカーソルの色を変化させる、または、それぞれのマウスに対応するカーソルごとに符号を振ることによって、それぞれのマウスに対応するカーソルを区別した状態で、カーソルを表示部に表示させるようにしてもよい。
【０１０６】
また、上記実施形態では、ユーザのリモートコントローラ７における所定の操作に基づいて、リモートコントローラ７からのＴＶ５の操作を優先して、マウス３からのＴＶ５の操作を受け付けないように設定した例を示したが、本発明はこれに限らず、ユーザのリモートコントローラからの操作に基づいて、マウスからのＴＶの操作を優先して、リモートコントローラからのＴＶの操作を受け付けないように設定してもよい。
【０１０７】
また、上記実施形態では、ＰＣ１からＴＶ５へ、マウス３の位置情報、左クリック情報、右クリック情報およびスクロール情報（操作情報）の送信を行うか否かの設定状態について、表示部５ｋにメッセージ８ｆ〜８ｈを表示させることによってユーザに視覚的に通知するとともに、上記実施形態の第１変形例では、ＰＣ２０１からＳＴＢ２１０への操作情報の送信を行うか否かについて、ＬＥＤ２１０ｉの色を変化させることによってユーザに視覚的に通知した例を示したが、本発明はこれに限らず、表示部にアイコンを表示したり、表示部とは別個の小型の表示部をリモートコントローラなどに設けて小型の表示部に設定状態を表示することによって、マウスの操作情報の送信を行うか否かの設定状態についてユーザに視覚的に通知してもよい。また、音声によって通知することによって、操作情報の送信を行うか否かの設定状態についてユーザに聴覚的に通知してもよい。
【０１０８】
また、上記実施形態では、ＵＳＢケーブル２ｃを用いて、マウス３の操作情報の送信を行うとともに、上記実施形態の第１変形例では、アナログＲＧＢケーブル２０９を用いて、マウス３の操作情報が含まれたアナログＲＧＢ信号の送信を行った例を示したが、本発明はこれに限らず、たとえば、ＩＥＥＥ１３９４ケーブルを用いて、マウスの操作情報の送信を行ってもよい。
【０１０９】
また、上記実施形態では、ＰＣ１にＴＶ５のみを接続した例を示したが、本発明はこれに限らず、ＰＣにディスプレイをＴＶと別途接続してもよい。この際、記憶部に格納されているドライバおよびアプリケーションに基づいて、ＰＣ映像をディスプレイまたはＴＶのいずれに表示するかを切り替え可能に構成してもよい。
【０１１０】
また、上記実施形態では、ＵＳＢ送受信部１ｇからＵＳＢ送受信部５ｄにマウス３の操作情報が送信されるとともに、ＵＳＢ送受信部５ｄからＵＳＢ送受信部１ｇにドライバおよびアプリケーションのプログラムが送信されるように構成した例を示したが、本発明はこれに限らず、マウスの操作情報が送信される送信部および受信部と、プログラムが送信される送信部および受信部とを異ならせてもよい。
【０１１１】
また、上記実施形態では、ＰＣ１から送信されたＰＣ１における画面解像度の情報を有する信号をＨＤＭＩケーブル６を介して受信した際に、ＴＶ５の制御部５ａによって、ＰＣ１における画面解像度が認識されるとともに、本実施形態の第１変形例では、ユーザがＳＴＢ２１０における画面解像度を入力することによって、ＰＣ２０１の制御部１ａによって、ＳＴＢ２１０における画面解像度が認識される例を示したが、本発明はこれに限らず、ＵＳＢケーブルを介して、ＰＣにおける画面解像度またはＴＶ（ＳＴＢ）における画面解像度をＴＶ（ＳＴＢ）またはＰＣが認識するように構成してもよい。この際、ＰＣの記憶部に格納されているドライバおよびアプリケーションに基づいて、ＰＣにおける画面解像度をＰＣからＴＶ（ＳＴＢ）に送信するように構成することが可能であるとともに、ＰＣがＴＶ（ＳＴＢ）における画面解像度を読み込むように構成することが可能である。
【０１１２】
また、上記第１変形例では、ＰＣ２０１にスケーラ２０１ｌを設けるとともに、ユーザがＳＴＢ２１０における画面解像度を入力することによって、ＰＣ２０１の制御部１ａによって、ＳＴＢ２１０における画面解像度が認識される例を示したが、本発明は、ＰＣ側ではなくＳＴＢにスケーラを設けるとともに、ＳＴＢの制御部において、アナログＲＧＢ信号の同期信号の周波数を検出することによって、ＰＣにおける画面解像度を認識するように構成してもよい。
【０１１３】
また、上記実施形態では、ＴＶ５にスケーラ５ｉを設けるとともに、ＰＣ１から送信されたＰＣ１における画面解像度の情報を有する信号をＨＤＭＩケーブル６を介して受信した際に、ＴＶ５の制御部５ａによって、ＰＣ１における画面解像度が認識される例を示したが、本発明は、ＴＶ側でなくＰＣにスケーラを設けるとともに、ＴＶから送信されたＴＶにおける画面解像度の情報を有する信号をＨＤＭＩケーブルを介して受信した際に、ＰＣにおいて、ＴＶにおける画面解像度が認識されるように構成してもよい。
【０１１４】
また、上記実施形態では、ＰＣ１（２０１）における画面解像度が８００×６００であり、ＴＶ５（ＳＴＢ２１０）における画面解像度が１９２０×１０８０である例を示したが、本発明はこれに限らず、ＰＣの画面解像度とＴＶ（ＳＴＢ）の画面解像度とは、特に限定されない。また、ＰＣの画面解像度とＴＶ（ＳＴＢ）の画面解像度とが同一であってもかまわない。この際、位置情報を変換するためのスケーラは設けなくてもよい。
【０１１５】
また、上記実施形態では、ＰＣ１において、ＵＳＢケーブル２ｃを介して、マウス３の操作情報をＵＳＢ送受信部１ｇからＴＶ５に送信し、ＨＤＭＩケーブル６を介して、ＨＤＭＩ送受信部１ｈからＴＶ５に信号を送信するように構成するとともに、本実施形態の第１変形例では、ＰＣ２０１において、アナログＲＧＢケーブル２０９を介して、マウス３の操作情報を含むアナログＲＧＢ信号をアナログＲＧＢ送受信部２０１ｊからＳＴＢ２１０に送信するように構成した例を示したが、本発明はこれに限らず、ＰＣにおいて、アナログＲＧＢケーブルを介して、マウスの操作情報をアナログＲＧＢ信号に含ませてＴＶに送信するように構成してもよい。また、ＰＣにおいて、ＵＳＢケーブルを介して、マウスの操作情報をＳＴＢに送信するように構成してもよい。
【０１１６】
また、上記実施形態では、ＰＣ１（２０１）にＵＳＢケーブル２ａを介してマウス３を接続した例を示したが、本発明はこれに限らず、ＰＣとマウスとはＵＳＢケーブルを介する接続に限られない。たとえば、ＰＣとマウスとはＰＳ／２形式によって接続されてもよいし、ケーブルを用いずに無線によってマウスからＰＣに操作信号を送信するように構成してもよい。
【０１１７】
また、上記実施形態では、ＴＶ５において、ユーザによってリモートコントローラ７において所定の操作が行われることにより、操作情報がＵＳＢ端子５ｃを介してＵＳＢ送受信部５ｄに受信されるか否かが設定される例を示したが、本発明はこれに限らず、ＰＣにおいてＴＶの操作に切り替える処理が行われるのに伴って、ＴＶにおいても、自動的に操作情報をＵＳＢ送受信部に受信するように切り替えられるように構成してもよい。この際、ＰＣ映像が表示されていたＴＶの表示部にＴＶ映像が表示されるように自動的に切り替えられるように構成してもよい。
【０１１８】
また、上記実施形態では、選局部５ｅによってテレビジョン放送に関するＥＰＧをアンテナから受信するとともに、本実施形態の第１変形例では、ケーブル放送受信部２１０ｅによってケーブル放送に関するＥＰＧを受信した例を示したが、本発明はこれに限らず、インターネットに接続したＰＣにおいて、ＥＰＧをインターネット経由で取得して、ＰＣからＴＶ（ＳＴＢ）にＥＰＧの情報を送信するように構成してもよい。
【符号の説明】
【０１１９】
１、２０１  ＰＣ
１ｂ  記憶部（第２記憶部）
１ｇ  ＵＳＢ送受信部（送信部、プログラム受信部）
３  マウス（入力装置、ポインティングデバイス）
５  ＴＶ（受信装置、情報表示装置）
５ａ、２１０ａ  制御部
５ｂ  記憶部（第１記憶部）
５ｄ  ＵＳＢ送受信部（受信部、プログラム送信部）
５ｉ、２０１ｌ  スケーラ（変換部）
５ｋ、２１１ｄ  表示部
７  リモートコントローラ
８ｃ  ＴＶカーソル（カーソル）
１００、２００  情報表示システム
２１０  ＳＴＢ（受信装置）
２１０ｄ  アナログＲＧＢ送受信部（受信部）
２１０ｉ  ＬＥＤ（表示手段）
【図１】
2010283642.tif 000003
【図２】
2010283642.tif 000004
【図３】
2010283642.tif 000005
【図４】
2010283642.tif 000006
【図５】
2010283642.tif 000007
【図６】
2010283642.tif 000008
【図７】
2010283642.tif 000009
【図８】
2010283642.tif 000010
【図９】
2010283642.tif 000011
【図１０】
2010283642.tif 000012
【図１１】
2010283642.tif 000013
【図１２】
2010283642.tif 000014
【図１３】
2010283642.tif 000015
【図１４】
2010283642.tif 000016
【図１５】
2010283642.tif 000017
【図１６】
2010283642.tif 000018